(57)【要約】【課題】防湿性、保香性があり、生産効率が良く、金属箔もしくは金属蒸着層を用いない構成の固形石鹸用包装紙を提供する。【解決手段】おもて面に絵柄印刷層１を設けた紙基材２の裏面に、接着層３を介して蒸着フィルム４を積層し、蒸着フィルムが、蒸着基材層４１に無機酸化物蒸着層４２を設け、無機酸化物蒸着層の面に、１種以上の金属アルコキシド、あるいは、その加水分解物の少なくともいずれかと、水溶性高分子とを含む水系溶液を主剤とするコーティング剤を塗布、加熱乾燥してなる保護層４３を設けたフィルムである。【選択図】図１
2014051329.tif 000002
【特許請求の範囲】
【請求項１】
おもて面に絵柄印刷層を設けた紙基材の裏面に、接着層を介して蒸着フィルムを積層し、該蒸着フィルムが、蒸着基材層に無機酸化物蒸着層を設け、該無機酸化物蒸着層の面に、１種以上の金属アルコキシド、あるいは、その加水分解物の少なくともいずれかと、水溶性高分子とを含む水系溶液を主剤とするコーティング剤を塗布、加熱乾燥してなる保護層を設けたフィルムであることを特徴とする固形石鹸用包装紙。
【請求項２】
前記蒸着フィルムの面に更にヒートシール層を設けたことを特徴とする請求項１に記載の固形石鹸用包装紙。
【発明の詳細な説明】
【技術分野】
【０００１】
本発明は、固形石鹸用包装紙に関するものである。
【背景技術】
【０００２】
入浴などに用いられる固形石鹸は、包装紙で1個1個上包み包装され、販売形態によって箱に入れられるか、数個を組み合わせてシュリンク包装されるか、あるいは１個１個別々に販売されている。
【０００３】
この上包み包装は、固形石鹸をシート状で方形の包装紙のほぼ中央に置き、石鹸のほぼ中央付近で重なるように包装紙を交互に折り畳み、次いで、折り畳んだ包装材料の両側を折り込み、重なり部分および両側の折り込み部分を接着させることにより、固形石鹸を包装している。また、包装紙の接着は、上記の様に１回で行う場合もあれば、包装材料を折り畳み接着し、折り込み接着するように分割して接着を行う場合もあった。
【０００４】
このような固形石鹸用包装紙には、２枚の薄層紙の間に合成樹脂膜を介在せしめて積層した包装紙があった（特許文献１）。
【０００５】
また、接着をヒートシールで行うために、紙基材のおもて面に印刷層を設け、裏面にヒートシール剤層を設けた固形石鹸用包装紙も使われていた。また、固形石鹸を直接包装紙で包むのではなく、油染みを防ぐために固形石鹸を耐油紙でスリーブ状に包んだうえで、固形石鹸用包装紙で上包み包装することもあった。
【０００６】
このような、固形石鹸用包装紙を用いた場合、防湿性、保香性などのバリア性が低いため、石鹸の成分が劣化したり、カビや酵母が発生したり、また、乾燥してひび割れたりする恐れもあった。また、固形石鹸の香料成分が気散してしまうこともあった。
【０００７】
このような、防湿性を求められる包装紙としては、紙基材のコート面に、蒸着アンカー層、蒸着薄膜層、オーバーコート層が順に設けられ、蒸着薄膜層が、酸化アルミニウムもしくは酸化珪素の蒸着でなり、オーバーコート層が、水溶性高分子と１種以上の金属アルコキシドおよびその加水分解物または塩化錫の少なくとも一方を含む水溶性あるいは水／アルコール混合溶液を主剤とするコーティング剤を塗布してなる防湿紙がある（特許文献２）。
【０００８】
この防湿紙の場合、蒸着アンカー層を設けた紙基材に蒸着を行う必要があるが、一般的で比較的低コストで行える蒸着方式の真空蒸着法では、蒸着アンカー剤の残留溶剤や紙基材がもともと含有していた水分が、真空引きするときに蒸散されて、必要な真空度に達するまでの時間が極端に永くなり、生産効率が極めて悪い。
【０００９】
また、石鹸などに用いられる香料成分のエステルを含有する物品の保存方法として、少なくとも、金属箔もしくは金属蒸着層、接着剤樹脂層、およびシーラント層からなる多層体を用いてエステル含有物品を密封するエステル含有物品の保存方法がある（特許文献３）。
【００１０】
この様に金属箔もしくは金属蒸着層を用いた場合は、金属探知機を使用することができず、金属かすなどが混入していても調べることができない。また、金属がアルミニウムの場合は、使用された後、廃棄され焼却されるときに焼却炉を傷めてしまう恐れがある。
【００１１】
公知文献を以下に示す。
【先行技術文献】
【特許文献】
【００１２】
【特許文献１】実開昭４８−１３４７６号公報
【特許文献２】特開２００４−２０４３６６号公報
【特許文献３】特開２０１１−９８４７４５号公報
【発明の概要】
【発明が解決しようとする課題】
【００１３】
本発明は上記のような事情に鑑みてなされたもので、防湿性、保香性があり、生産効率が良く、金属箔もしくは金属蒸着層を用いない構成の固形石鹸用包装紙を提供することを課題としている。
【課題を解決するための手段】
【００１４】
本発明は係る課題に鑑みなされたものであり、請求項１の発明は、おもて面に絵柄印刷層を設けた紙基材の裏面に、接着層を介して蒸着フィルムを積層し、該蒸着フィルムが、蒸着基材層に無機酸化物蒸着層を設け、該無機酸化物蒸着層の面に、１種以上の金属アルコキシド、あるいは、その加水分解物の少なくともいずれかと、水溶性高分子とを含む水系溶液を主剤とするコーティング剤を塗布、加熱乾燥してなる保護層を設けたフィルムであることを特徴とする固形石鹸用包装紙である。
【００１５】
本発明の請求項２の発明は、前記蒸着フィルムの面に更にヒートシール層を設けたことを特徴とする請求項１に記載の固形石鹸用包装紙である。
【発明の効果】
【００１６】
本発明の固形石鹸用包装紙は、防湿性、保香性が優れ、固形石鹸の成分が劣化したり、カビや酵母が発生したり、また、乾燥してひび割れたりする恐れがない。更には、固形石鹸の香料成分が気散してしまうことがなく芳香性が保たれる。
【００１７】
そして、紙基材に蒸着を行うことがないので生産効率がよく、金属箔や金属蒸着層を用いていないので金属探知機を使用することができ、金属かすなどの混入を排除することができ、また、使用された後、廃棄され焼却されるときに焼却炉を傷めてしまう恐れがない。
【図面の簡単な説明】
【００１８】
【図１】本発明の固形石鹸用包装紙の一例を模式的に断面で示した説明図である。
【図２】本発明の固形石鹸用包装紙の他の例を模式的に断面で示した説明図である。
【発明を実施するための形態】
【００１９】
以下、本発明を実施するための形態につき説明する。
図１は、本発明の固形石鹸用包装紙の一例を模式的に断面で示した説明図である。
【００２０】
本例の固形石鹸用包装紙１００は、図１の断面図に示すように、おもて面に絵柄印刷層１を設けた紙基材２の裏面に、接着層３を介して蒸着フィルム４が積層されている。蒸着フィルム４は蒸着基材層４１に無機酸化物蒸着層４２を設け、更に、無機酸化物蒸着層４２の面に、保護層４３が設けられている。
【００２１】
紙基材２に用いる紙は、上質紙やコート紙などの洋紙が好ましく用いられるが、特に限定はされない。また、中性から弱アルカリ性域で製造された中性紙を用いると経時による
紙の劣化が防止できるので好ましく用いられる。使用する紙の坪量として、５０から２００ｇ／ｍ２が好ましい。
【００２２】
この紙基材２のおもて面に絵柄印刷層１を設ける。絵柄印刷層１は内容物表示や、デザインを印刷して設けたもので、印刷方式は、特に限定されるものではないが、グラビア印刷やフレキソ印刷、あるいはオフセット印刷が好ましく用いられる。紙面への印刷であり、ヒートシール時に熱が掛かるため、グラビア印刷ではセルロース系のインキが好ましく用いられる。
【００２３】
また、紙基材２の裏面に、耐油剤を用いて耐油コートを行ってもよい。耐油剤には、アクリル系やポリビニルアルコール系の造膜タイプやフッ素系の含浸タイプなどがあるが、いずれのタイプのものを用いてもよい。この耐油コートによって、紙基材２の油染みの発生を防ぐことができる。
【００２４】
蒸着フィルム４は蒸着基材層４１に無機酸化物蒸着層４２を設け、更に、無機酸化物蒸着層４２の面に、保護層４３が設けられている。蒸着基材層４１と無機酸化物蒸着層４２の間に蒸着アンカー層を設けても良い。
【００２５】
蒸着基材層４１には、樹脂の延伸フィルムが好ましく使用できる。樹脂としては、ポリエチレンテレフタレート、ポリエチレンナフタレ−ト、ポリブチレンテレフタレートなどのポリエステル、ポリエチレン、ポリプロピレン、ポリスチレンなどのポリオレフィン、ナイロン−６、ナイロン−６６などのポリアミド、ポリカーボネート、ポリアクリロニトリル、ポリイミド、ポリ塩化ビニル、ポリ塩化ビニリデン、ポリビニルアルコール（、エチレン−ビニルアルコール共重合体、ポリエーテルスルフォン、ポリメチルメタクリレートなどを使用することができる。
【００２６】
その中でも耐熱性、強度、蒸着適性等の点からポリエステルフィルム、ポリアミドフィルムが好ましく用いられる。また、これらのフィルムの厚さは、特に限定されないが、６から２５μｍの厚さが好ましい。
【００２７】
無機酸化物蒸着層４２は、酸化アルミニウム、酸化珪素、酸化錫、酸化マグネシウム、あるいはそれらの混合物などの無機酸化物が蒸着された層であり、酸化アルミニウムや酸化珪素の蒸着された層が特に好ましい。
【００２８】
保護層４３は、無機酸化物蒸着層４２を保護すると同時に、バリア性を高める層である。保護層４３は、コーティング剤を塗布、加熱乾燥してなる塗布膜であり、コーティング剤は、１種以上の金属アルコキシド、あるいは、その加水分解物の少なくともいずれかと、水溶性高分子とを含む水系溶液を主剤としている。
【００２９】
コーティング剤に用いられる金属アルコキシドは、テトラエトキシシラン〔Ｓｉ（ＯＣ２Ｈ５）４〕、トリイソプロポキシアルミニウム〔Ａｌ（Ｏ−２’−Ｃ３Ｈ７）３〕などの一般式、Ｍ（ＯＲ）ｎ（Ｍ：Ｓｉ、Ｔｉ、Ａｉ、Ｚｒなどの金属、Ｒ：ＣＨ３、Ｃ２Ｈ５等のアルキル基）で表せるものである。なかでもテトラエトキシシラン、トリイソプロポキシアルミニウムが加水分解後、水系の溶媒中において比較的安定であるので使い勝手がよく好ましい。
【００３０】
コーティング剤に用いられる水溶性高分子はポリビニルアルコール、ポリビニルピロリドン、デンプン、メチルセルロース、カルボキシメチルセルロース、アルギン酸ナトリウムなどが挙げられる、特にポリビニルアルコールを保護層４３のコーティング剤に用いた場合にガスバリア性が最も優れている。
【００３１】
ポリビニルアルコールは、ポリ酢酸ビニルを鹸化して得られるもので、酢酸基が数十％残存している、いわゆる部分鹸化ポリビニルアルコールから、酢酸基が数％しか残存していない完全鹸化ポリビニルアルコールまでを含み、とくに限定されるものではない。水系溶液とする溶剤には、水または、水とアルコールの混合溶剤を用いる。
【００３２】
更に、コーティング剤のバリア性を損なわない範囲で、イソシアネート化合物、シランカップリング剤、或いは分散剤、安定化剤、粘度調整剤、着色剤など公知の添加剤を加えることができる。
【００３３】
例えばコーティング剤に加えられるイソシアネート化合物は、その分子中に２個以上のイソシアネート基（ＮＣＯ基）を有するものであり、例えばトリレンジイソシアネート、トリフェニルメタントリイソシアネート、テトラメチルキシレンジイソシアネートなどのモノマー類と、これらの重合体、誘導体などがある。
【００３４】
コーティング剤の調整は、例えば、金属アルコキシドに塩酸を加えるなどして加水分解をさせた加水分解溶液と、水溶性高分子を溶解させた溶液を混合し、必要に応じて、添加剤を加えて調整することができる。そして、このコーティング剤を蒸着基材層４１に設けられた無機酸化物蒸着層４２の面に塗布乾燥させて保護層４３を設け、蒸着フィルム４を製造することができる。
【００３５】
コーティング剤の塗布方法には、通常用いられる、ディッピング法、ロールコーティング法、スクリーン印刷法、スプレー法など従来公知の手段が用いられる。被膜の厚さはコーティング剤の種類によって異なるが、乾燥後の厚さが約０．０１から１００μｍの範囲であればよいが、５０μｍ以上では、膜にクラックが生じやすくなるため、０．０１から５０μｍとすることが望ましい。
【００３６】
接着層３は、紙基材２と蒸着フィルム４を積層する層であり、ウェットラミネーション用の接着剤や押出しラミネーションの樹脂層でも良いが、ドライラミネーション用の２液硬化型のウレタン系接着剤が好ましく用いられる。乾燥後の塗布量としては、３から７g／ｍ２が望ましい。
【００３７】
本例の固形石鹸用包装紙１００を製造するには、紙基材２のおもて面に絵柄印刷層１を設け、裏面に前述した方法で製造して蒸着フィルム４を、接着層３を介して積層することによって製造することができる。
【００３８】
このように製造された固形石鹸用包装紙１００を、断裁などにより固形石鹸の寸法に合わせ方形に形成し、必要部にヒートシール剤を塗布するなどしてヒートシール層を設けて、その方形の固形石鹸用包装紙１００の上に固形石鹸を置いて、固形石鹸を筒状に巻くように交互に折り畳み、重なり部をヒートシールし、次いで、筒状の両端部分を折り込み、折り込み部分をヒートシールし、上包み包装する。これにより、固形石鹸用包装紙１００による包装体を製造することができる。
【００３９】
尚、本例の固形石鹸用包装紙１００では、紙基材２側に蒸着フィルム４の蒸着基材４１面を積層したが、保護層４３の面を紙基材２側にして積層してもよい。
【００４０】
図２は、本発明の固形石鹸用包装紙の他の例を模式的に断面で示した説明図である。
本発明の固形石鹸用包装紙は、あらかじめ、ヒートシール層５を設けた固形石鹸用包装紙２００とすることができる。
【００４１】
ヒートシール層５は、図２のように、おもて面に絵柄印刷層１を設けた紙基材２の裏面に接着層３を介して積層された蒸着フィルム４の面に設ける。ヒートシール層５は、製膜された樹脂で設けてもよいし、ヒートシール剤を塗布して設けてもよい。
【００４２】
製膜された樹脂を設けるには、あらかじめ製膜した無延伸のフィルムを用いてドライラミネーションにより設けてもよいし、溶融した樹脂を用いる押出しラミネーションにより設けてもよい。
【００４３】
これに用いる樹脂としては、熱溶融性樹脂が用いられる。特に、低密度ポリエチレンや直鎖状低密度ポリエチレンなどのポリエチレン系樹脂、あるいは、ポリプロピレンが好ましく用いられる。
【００４４】
ヒートシール剤としては、ポリエチレンやポリプロピレンの溶液や分散液、あるいは、市販されているヒートシール二スを用いることができ、これらを塗布して設ける。また、ワックスを溶融して塗布してヒートシール層５としてもよい。
【００４５】
このように、ヒートシール層５があらかじめ設けられた固形石鹸用包装紙２００を用いて、固形石鹸用包装紙１００と同様に、上包み包装して、固形石鹸用包装紙２００による包装体が製造することができる。
【００４６】
以上のように、本発明の固形石鹸用包装紙は、前述のような蒸着フィルム４を用いているので、防湿性、保香性が優れ、固形石鹸の成分が劣化したり、カビや酵母が発生したり、また、乾燥してひび割れたりする恐れがない。更に、固形石鹸の香料成分が気散してしまうことがなく芳香性が保たれる。
【００４７】
そして、あらかじめ大量に作成された、樹脂フィルムから蒸着基材に無機酸化物を蒸着して保護層を積層した蒸着フィルムを用いて、絵柄印刷層を設けた紙基材に積層するため、真空にするのに時間の掛かる紙基材への蒸着工程がなく、生産効率がよい。また、金属箔や金属蒸着層を用いていないので金属探知機を使用することができ、金属かすなどの混入を排除することができ、さらには、使用された後、廃棄され焼却されるときに焼却炉を傷めてしまう恐れがない。
【符号の説明】
【００４８】
１００、２００・・・固形石鹸用包装紙
１・・・絵柄印刷層
２・・・紙基材
３・・・接着層
４・・・蒸着フィルム
４１・・・蒸着基材層
４２・・・無機酸化物蒸着層
４３・・・保護層
５・・・ヒートシール層
【図１】
2014051329.tif 000003
【図２】
2014051329.tif 000004